(57)【特許請求の範囲】
【請求項１】
複数の紙葉類を積載する積載手段と、その積載手段に積載された紙葉類を給紙する給紙手段とを備えた給紙装置において、
前記積載手段に積載された複数枚の紙葉類の一方の側の面を加熱する加熱手段と、その紙葉類の他方の側の面の温度を検出する温度検出手段と、該温度検出手段が検出した温度の高低により前記積載手段に積載された紙葉類の枚数を演算する手段と、前記加熱手段と前記温度検出手段を紙葉類の面に沿ってそれぞれ同方向に同量移動させる移動手段とを設け、
前記積載手段に積載された紙葉類の温度を検知する毎に前記移動手段を駆動させて前記加熱手段と前記温度検出手段を前記方向に適正量移動させるようにしたことを特徴とする給紙装置。
【請求項２】
請求項１記載の給紙装置において、前記紙葉類の加熱及び他方の側の面の温度検出は複数枚に積載された紙葉類を１枚ずつ給紙動作する毎に行い、その給紙動作毎の検出温度の変化により紙葉類１枚あたりの厚さによる温度変化を求めて、その温度変化により前記積載手段に積載された複数枚の紙葉類の枚数を補正する手段を設けたことを特徴とする給紙装置。
【請求項３】
前記積載手段は紙葉類を積載して回動可能な底板を有し、該底板は給紙動作毎に紙葉類が一定の給紙開始位置になるまで回動し、該底板に前記加熱手段又は前記温度検出手段のいずれか一方を取り付けたことを特徴とする請求項１又は２に記載の給紙装置。
【請求項４】
前記加熱手段と前記温度検出手段の少なくとも一方の紙葉類給紙方向の位置を前記給紙開始位置にしていることを特徴とする請求項３記載の給紙装置。
【請求項５】
請求項１乃至４のいずれか一項に記載の給紙装置を備えた画像形成装置であって、複数の顕像を担持可能な像担持体を有し、前記紙葉類の枚数を演算によって演算された紙葉類の枚数が所定の枚数よりも少ないときには、前記像担持体上への顕像の形成を行わないようにする手段を設けたことを特徴とする画像形成装置。
【発明の詳細な説明】
【０００１】
【発明の属する技術分野】
この発明は、紙葉類の枚数を検知可能な給紙装置及びその給紙装置を備えた画像形成装置に関する。
【０００２】
【従来の技術】
従来、紙類等の搬送媒体を搬送した際に、その搬送された媒体が１枚であるか、複数枚であるかを検知する装置が、例えば特開２０００−３４０３７号公報に記載されている。
この装置は、それぞれ対をなす可視光発光素子と可視光受光素子、及び赤外発光素子と赤外受光素子を設けると共に、その可視光受光素子が受光した光の強度に応じて第１の信号を出力する可視光受光回路と、赤外発光素子が受光した光の強度に応じて第２の信号を出力する赤外受光回路を設け、上記第１の信号と第２の信号を入力して演算した演算値が搬送媒体の重ね合わせを示す閾値以下の場合に搬送された搬送媒体が１枚であると判断し、閾値を越えていれば搬送媒体が複数枚搬送されたと枚数識別回路が判断するようにしている。
また、従来の画像形成装置の給紙装置で使用している記録紙（紙葉類）の枚数検知は、例えば記録紙積載手段上に記録紙が有るか無いかを検知するものであったり、記録紙が５０枚以上や１００枚以上といった大ざっぱな枚数検知をするものが一般的であった。
さらに、特開平８−４８４３９号公報にも、搬送される用紙を挾んで対向配置された赤外線発光器と受光器を使用して、そこを通過する用紙を透過した光の光量の変化により重送を検知するようにした装置が記載されている。
【０００３】
【発明が解決しようとする課題】
しかしながら、上述した搬送媒体を検知する装置は、搬送された搬送媒体が１枚であるか、複数枚であるかを検知するだけの装置であるため、この装置を例えば画像形成装置の給紙装置に適用したとしても、その給紙装置の記録紙積載手段上に仮に数枚の記録紙が積載されていたとすると、その記録紙の枚数を正確に検知することはできないということがあった。
また、記録紙積載手段上に記録紙が有るか無いかを検知したり、記録紙が５０枚以上や１００枚以上といった大ざっぱな枚数検知をするものでは不都合を生じることがあった。
すなわち、近年は複写機やプリンタ等の画像形成装置はカラー化及び画像形成の高速化が進んでいるため、例えば図９に示すように大型の像担持体である中間転写ベルト９１を装着し、その中間転写ベルト９１上に複数（図９の例では５つ）の画像Ｇ１〜Ｇ５を一度に担持できるようにし、さらにファーストプリント時間を短くするために搬送路長を短くする必要から、給紙トレイから転写部までの間の距離を短くしたりしている。
【０００４】
このような画像形成装置では、給紙トレイ９５の記録紙積載手段となる底板９６上に積載されている記録紙の残量枚数を正確に検知できないと、その残量枚数が中間転写ベルト９１上に一度に担持できる画像数よりも少ないときには、その残量枚数を超える数の画像を形成して、それを中間転写ベルト９１上に担持してしまうことが生じる。
その場合、記録紙に転写できなかった余分な画像は、クリーニング装置で全て消去するようになるので、全く非生産的な動作を行ってしまうと共に、トナーの無駄使いが生じる。また、余分な画像をクリーニングすることにより大量のトナーを回収するようになるので、クリーニング装置への負荷も増大するようになる。
具体的には、図９に示した例の場合には中間転写ベルト９１上に５枚分の画像Ｇ１〜Ｇ５を担持することができるのに対し、給紙トレイ９５から転写部９４までに記録紙が３枚（Ｐ１〜Ｐ３）しか存在しなかったとすると、５−３＝２枚の２枚分の画像を記録紙に転写することができないため、その画像がクリーニング装置によって消去されることになる。
【０００５】
このような余分な画像の形成は、給紙トレイ内の記録紙の残量枚数を正確に検知することができれば防ぐことができるものである。
しかしながら、従来の記録紙（用紙）を挾んで対向配置された赤外線発光器と受光器を使用して、記録紙を透過した光の光量の変化により記録紙の枚数を検知する装置では、記録紙の種類によっては正確な記録紙の枚数を検知できないということがあった。
すなわち、記録紙がＯＨＰ用紙のように、ほとんど光を透過してしまう記録紙や、逆に遮光用紙のようにほとんど光を透過しない記録紙の場合には、上記のような用紙を透過した光の光量の変化により記録紙の枚数を検知しようとしても、それを正確に検知することができないということがあった。
この発明は、上記の問題点に鑑みてなされたものであり、記録紙等の紙葉類の種類に関係無く、少数枚の紙葉類の枚数を正確に検知することができるようにすることを目的とする。
【０００６】
【課題を解決するための手段】
この発明は上記の目的を達成するため、複数の紙葉類を積載する積載手段と、その積載手段に積載された紙葉類を給紙する給紙手段とを備えた給紙装置において、
上記積載手段に積載された複数枚の紙葉類の一方の側の面を加熱する加熱手段と、その紙葉類の他方の側の面の温度を検出する温度検出手段と、その温度検出手段が検出した温度の高低により上記積載手段に積載された紙葉類の枚数を演算する手段と、上記加熱手段と温度検出手段を紙葉類の面に沿ってそれぞれ同方向に同量移動させる移動手段とを設け、
上記積載手段に積載された紙葉類の温度を検知する毎に上記移動手段を駆動させて上記加熱手段と温度検出手段を上記方向に適正量移動させるようにしたものである。
【０００７】
その給紙装置において、紙葉類の加熱及び他方の側の面の温度検出は複数枚に積載された紙葉類を１枚ずつ給紙動作する毎に行い、その給紙動作毎の検出温度の変化により紙葉類１枚あたりの厚さによる温度変化を求めて、その温度変化により積載手段に積載された複数枚の紙葉類の枚数を補正する手段を設けるとよい。
上記積載手段は、紙葉類を積載して回動可能な底板を有し、その底板は給紙動作毎に紙葉類が一定の給紙開始位置になるまで回動し、その底板に加熱手段又は温度検出手段のいずれか一方を取り付けるとよい。
上記加熱手段と温度検出手段の少なくとも一方の紙葉類給紙方向の位置を上記給紙開始位置にするとよい。
この発明による画像形成装置は、上記給紙装置を備え、複数の顕像を担持可能な像担持体を有し、上記紙葉類の枚数を演算によって演算された紙葉類の枚数が所定の枚数よりも少ないときには、上記像担持体上への顕像の形成を行わないようにする手段を設けたものである。
【０００８】
【発明の実施の形態】
以下、この発明の実施の形態を図面に基づいて説明する。
図１はこの発明による給紙装置に用いる紙葉類枚数検知装置の基礎となる構成を示す概略構成図である。
この紙葉類枚数検知装置は、紙葉類である記録紙Ｐの一方の側の面（下面）を加熱するヒータ等からなる加熱手段である加熱器１１と、その記録紙Ｐの他方の側の面の温度を検出する温度検出手段である温度検出器１２と、その温度検出器１２が検出した温度の高低により記録紙Ｐの枚数を演算する手段となる制御装置５０とを設けている。
その加熱器１１と温度検出器１２は、その間に記録紙Ｐを挾むようにして互いに対向させて配置する。そして、その加熱器１１と温度検出器１２は、それぞれ記録紙Ｐの面に接触する接触式であってもよいし、記録紙Ｐの面に対して非接触となる非接触式であってもよい。
なお、加熱器１１と温度検出器１２の位置関係は、図１に示した例と逆にしてもよい。
【０００９】
そして、この紙葉類枚数検知装置は、加熱器１１により記録紙Ｐの一方の側の面（下面）を加熱し、他方の側の面（上面）の温度を温度検出器１２で検出し、その検出した温度の高低により記録紙Ｐの枚数を検知する紙葉類の枚数検知方法を実施して、加熱器１１と温度検出器１２に挾まれた記録紙Ｐの枚数を演算により求める。
制御装置５０は、各種判断及び処理機能を有する中央処理装置（ＣＰＵ）と、各処理プログラム及び固定データを格納したＲＯＭと、処理データを格納するデータメモリであるＲＡＭと、入出力回路(Ｉ/Ｏ）とからなるマイクロコンピュータを有しており、そのマイクロコンピュータは温度検出器１２から、検出した温度に対応する信号を入力する。そして、その入力した情報を基にして加熱器１１と温度検出器１２との間に挾んだ記録紙Ｐの枚数を演算する。
そのマイクロコンピュータが行う記録紙の枚数演算は、数１を使用して行われる。ここで、
Ｔ：温度検出器の検出温度
Ｔ１：加熱器の温度
Ｔ０：温度検出器での初期温度（周辺温度）
ｅｒｆ：誤差関数
ｎ：記録紙枚数
ｘ：記録紙の厚さ
ｋ：記録紙の温度伝導率
ｔ：加熱時間
【００１０】
【数１】
0003935391.tif 000002
【００１１】
図２はＴ１＝１００℃、Ｔ０＝２５℃とした場合のある記録紙の枚数の違いによる温度変化を示した線図である。ここで、加熱時間を一定の値に定めれば、記録紙枚数と記録紙の検出温度との関係が求められる。
図３はその記録紙枚数と温度出力との関係を示した線図であり、この線図を基にして、次のアルゴリズムで記録紙枚数を決定する。すなわち、
出力がＡ未満であるときには記録紙の枚数は５枚以上と判断する。
出力がＢ未満Ａ以上であるときには記録紙の枚数は４枚と判断する。
出力がＣ未満Ｂ以上であるときには記録紙の枚数は３枚と判断する。
出力がＤ未満Ｃ以上であるときには記録紙の枚数は２枚と判断する。
出力がＥ未満Ｄ以上であるときには記録紙の枚数は１枚と判断する。
出力がＥ以上であるときには記録紙の枚数は０枚と判断する。
なお、上記出力Ａ〜Ｅは、予め実験あるいは計算により求めて設定する数値であり、環境条件、記録紙の種類等の変動要因により任意に変更されるものである。
【００１２】
このように、この紙葉類枚数検知装置は記録紙の一方の側の面を加熱し、他方の側の面の温度を検出して、記録紙の枚数が少ないほど熱伝導がよくなって温度検出側の温度が高くなり、記録紙の枚数が多いほど熱伝導が悪くなって温度検出側の温度が低くなる点を利用して、その検出した温度の高低により記録紙の枚数を検知するので、光を記録紙に当ててそこを透過した光の光量の変化から記録紙枚数を検知する場合のように、記録紙の透過率の影響を受けない。
したがって、記録紙がＯＨＰ用紙のように、ほとんど光を透過してしまう場合や、逆に遮光用紙のようにほとんど光を透過しない記録紙であっても、それを正確に枚数検知することができる。
【００１３】
図４はこの発明による給紙装置の基礎となる構成を示す概略構成図であり、図１と対応する部分には同一の符号を付してある。
この給紙装置４は、積載手段である底板５に積載された複数枚の記録紙Ｐの一方の側の面（図４の例では下面）を加熱する加熱器１１と、その記録紙Ｐの他方の側の面の温度を検出する温度検出器１２と、その温度検出器１２が検出した温度の高低により底板５に積載された記録紙Ｐの枚数を演算する手段となる制御装置５０′とを設けている。
また、この給紙装置４は、底板５に積載された記録紙Ｐを同図で反時計回り方向に回転することにより給紙する給紙手段であるピックアップコロ６と、そのピックアップコロ６により給紙された記録紙Ｐが複数枚であったときにはそれを１枚に分離するフィードコロとリバースコロとからなる図示しない分離手段とを備えている。
底板５は、給紙トレイ２２に図４で左方側の端部が回動自在に支持されており、そこに記録紙Ｐを載置した状態で、左方側の端部を支点にして矢示Ｂ方向に回動できるようになっている。この底板５は、ピックアップコロ６による給紙動作毎にこの底板５上に積載されている記録紙Ｐが一定の給紙開始位置になるまで回動する。その底板５の回動は、その底板５の下側に設けられて図示しない例えばモータ等の駆動源により上昇側に回動する上昇レバーにより押し上げられて、記録紙送出端側（図４で右端側）が上昇する。
そして、この底板５に、加熱器１１が固定されている。したがって、加熱器１１は、束状の記録紙Ｐの下面に接触した状態で底板５の回動と共に上昇すると共に、記録紙Ｐとの位置関係も常に保たれる。
【００１４】
この給紙装置４からの給紙は、底板５上に積載した記録紙Ｐが、その底板５が上昇側に回動することにより最上位に位置する記録紙がピックアップコロ６に当接する位置まで上昇し、その状態でピックアップコロ６が回転することにより行われる。
また、この給紙装置の制御装置５０′は、記録紙の加熱及び他方の側の面（上面）の温度検出は底板５上に複数枚に積載された記録紙Ｐを１枚ずつピックアップコロ６により給紙動作する毎に行い、その給紙動作毎の検出温度の変化により記録紙１枚あたりの厚さによる温度変化を求めて、その温度変化により底板５に積載された複数枚の記録紙の枚数を補正する手段としても機能する。
そして、その制御装置５０′が、加熱器１１により記録紙の加熱、及び温度検出器１２による他方の側の面の温度検出を複数枚に積載された記録紙を１枚ずつ給紙動作する毎に行うように制御し、その給紙動作毎の検出温度の変化により記録紙１枚あたりの温度変化を求めて、その温度変化により底板５上の複数枚の記録紙の枚数を補正する。
その制御装置５０′は、図１に示した制御装置５０と同様な各種判断及び処理機能を有する中央処理装置（ＣＰＵ）と、各処理プログラム及び固定データを格納したＲＯＭと、処理データを格納するデータメモリであるＲＡＭと、入出力回路(Ｉ/Ｏ）とからなるマイクロコンピュータを有しており、そのマイクロコンピュータが温度検出器１２から、検出した温度に対応する信号を入力する。そして、その入力した情報を基にして底板５上の複数枚の記録紙Ｐの枚数を補正する。
【００１５】
その制御装置５０′のマイクロコンピュータが行う枚数検知処理は、基本的な枚数検知は図１で説明した紙葉類枚数検知装置と同様であるが、給紙動作ごとの検出温度の変化を取り入れて枚数検知をより正確なものにしている点が異なる。
その記録紙の枚数検知補正は、ピックアップコロ６により給紙動作を行うと、底板５上に積載された記録紙の枚数は１枚ずつ少なくなるが、そのときに温度検出器１２が検出する検出温度の変化が大きいときには、例えば図５に示すように、ある時点での出力がｂ未満ａ以上であったのに、次の給紙動作時にはｄ未満ｃ以上となったときには、温度伝導の低い（熱が伝わりにくい）記録紙が使用されていると判断して底板５上の記録紙の枚数を補正（１枚と判断する）する。
この給紙装置によれば、給紙動作毎に底板５上の記録紙Ｐの面温度を温度検出器１２により検出するので、記録紙１枚あたりの温度変化を正確に知ることができる。それにより、記録紙の種類が予め分かっていない場合でも、底板５上の記録紙の枚数を正確に検知することができる。
【００１６】
図６はこの発明による給紙装置を備えたカラー画像形成装置の一例を示す全体構成図である。
このカラー画像形成装置は、装置本体１の略中央に画像形成部２０を配置し、その画像形成部２０のすぐ下方に複数の給紙トレイ２２を備えた給紙部２を配置している。なお、この給紙部２には、必要に応じて別の給紙装置を増設することもできるようになっている。
また、画像形成部２０の上方には原稿を読取る読取部２３を、その画像形成部２０の図６で左側には排紙収納部２４をそれぞれ設けており、その排紙収納部２４には画像形成された記録紙Ｐが排紙収納される。
画像形成部２０には、複数のローラ間に張装されて矢示Ａ方向に回動するベルト状の中間転写ベルト２５が設けられており、その中間転写ベルト２５の回りには図示のように４個の作像部を構成するそれぞれドラム状の感光体２６Ｙ，２６Ｍ，２６Ｃ，２６Ｋが並列配置されている。
【００１７】
その各感光体の回りには、感光体の表面を帯電処理する各帯電装置６２と、各感光体の表面に形成された静電潜像を各色のトナーで可視像化する各現像装置６３と、その各感光体上のトナー像（可視像）を中間転写ベルト２５に転写した後に各感光体上に残った残留トナーを除去回収する各クリーニング装置６４をそれぞれ設けている。
この画像形成部２０の上部には、その画像形成部２０の各感光体２６Ｙ，２６Ｍ，２６Ｃ，２６Ｋに、それぞれ各色の画像情報に対応したレーザ光を照射してそこに潜像を形成する露光装置７を設けている。
また、画像形成部２０の記録紙搬送上流側にレジストローラ３３を、その画像形成部２０の記録紙搬送下流側に定着装置２８をそれぞれ設け、そのレジストローラ３３により記録紙のスキュー補正を行うと共に、感光体上の画像とタイミングをとって給紙するようにしている。また、記録紙上に転写したトナー像を定着装置２８により定着処理するようにしている。
この定着装置２８の下流側には、その定着装置２８を通過した記録紙を排紙収納部２４上に排出する排紙ローラ４１を設けている。
なお、図６で３は、原稿を自動的にコンタクトガラス３１上に搬送する自動原稿搬送装置である。
【００１８】
このカラー画像形成装置は、フルカラーの画像形成動作を開始させると、画像形成部２０の各帯電装置６２により帯電された感光体２６Ｙ，２６Ｍ，２６Ｃ，２６Ｋ上の各帯電面が露光装置７により、イエロー（Ｙ），マゼンタ（Ｍ），シアン（Ｃ），ブラック（ＢＫ）の各色に対応した操作光により露光され、そこに潜像が形成される。
その露光装置７による各感光体２６Ｙ，２６Ｍ，２６Ｃ，２６Ｋへの書き込みは、読取部２３に設けられているコンタクトガラス３１上にセットした原稿の画像を、原稿照明用光源とミラーからなる読み取り走行体３２ａ、３２ｂが図６で左右方向に往復移動することにより読み取り走査を行って、レンズ３４の後方に設置されているＣＣＤ３５に画像信号として読み込まれた画像情報を基にして行われる。
すなわち、ＣＣＤ３５に読み込まれた画像信号は、デジタル化されて画像処理され、その画像処理された信号に基づいて、露光装置７内のレーザダイオードの発光により、感光体２６Ｙ，２６Ｍ，２６Ｃ，２６Ｋの各表面を露光して、そこに静電潜像を形成する。
その際、レーザダイオードからの光は、ポリゴンミラーやレンズを介して各感光体に至る。
【００１９】
このようにして、各感光体２６Ｙ，２６Ｍ，２６Ｃ，２６Ｋ上にそれぞれ形成された各潜像は、イエロー（Ｙ），マゼンタ（Ｍ），シアン（Ｃ），ブラック（ＢＫ）の４つの色にそれぞれ対応した各現像装置６３により現像され、トナー像となる。
そのトナー像は、最初に感光体２６Ｙ上のイエロー色の画像が、図６の矢示Ａ方向に回動している中間転写ベルト２５上に転写され、次にそのイエロー色の画像が感光体２６Ｍの位置まで移動したときに、そこにマゼンタ色の画像を重ね合わせて転写する。そのマゼンタ色の画像を転写した部分が感光体２６Ｃの位置まで移動したときに、そこにシアン色の画像を重ね合わせて転写し、さらにそのシアン色の画像を転写した部分が感光体２６Ｋの位置まで移動したときに、そこにブラック色の画像を重ね合わせて転写する。
【００２０】
そして、そのイエロー，マゼンタ，シアン，ブラックの４色重ね合わせ画像が中間転写ベルト２５の回動により転写ローラ５１のある転写位置まで移動すると、そのタイミングに一致するように同期がとられて給紙された記録紙に、転写ローラ５１により一括転写される。
このように、このカラー画像形成装置は、中間転写ベルト２５が１回動して１つのカラー画像を形成する作像プロセスを行う。そして、その中間転写ベルト２５上の４色重ねのトナー像が記録紙に一括転写された後は、その中間転写ベルト２５上に残留するトナーが中間転写クリーニング装置５２により除去回収される。
トナー像が定着されて定着装置２８を通過した記録紙は、それが片面画像形成であるときには排紙ローラ４１により排紙収納部２４に排出される。
また、両面画像形成の指示が出されているときには、定着装置２８と排紙ローラ４１との間の搬送経路上に設けている分岐爪４３により、記録紙が画像形成部２０の下側に配設している両面装置２９に送り込まれ、それが反転されて再びレジストローラ３３に搬送され、今度は第２面に画像が形成された後に排紙ローラ４１により排紙収納部２４上に排出される。
【００２１】
一方、記録紙を給紙する給紙部２には、各給紙段ごとに図４で説明した給紙装置４がそれぞれ設けられている。
このように、このカラー画像形成装置によれば、記録紙の種類に関係なく底板５上に積載されている記録紙の枚数を、正確に検出することができる。
それにより、底板５上に残っている記録紙の枚数と中間転写ベルト２５に担持できる顕像の数とを比較して底板５上の記録紙の枚数が少ない場合には、作像を中止して中間転写ベルト２５にトナー像（顕像）を転写しないように制御する。
したがって、トナーの無駄使いを防止することができる。また、底板５上に残っている記録紙の枚数以上のトナー像を中間転写ベルト２５上に形成してしまったときには、その余分に形成してしまったトナー像を中間転写クリーニング装置５２で大量に消去するために中間転写クリーニング装置５２に大きな負担がかかるが、それも防止することができる。
なお、図４に示した温度検出器１２が検知した記録紙の枚数が所定の枚数（中間転写ベルト２５に担持できる顕像の数）よりも少ないときには中間転写ベルト２５への顕像の形成を行わないようにする手段としては、図６では図示を省略するが、各種判断及び処理機能を有する中央処理装置（ＣＰＵ）と、各処理プログラム及び固定データを格納したＲＯＭと、処理データを格納するデータメモリであるＲＡＭと、入出力回路(Ｉ/Ｏ）とからなるマイクロコンピュータを有する制御装置が機能する。
【００２２】
図７は温度検出器の位置をピックアップコロの位置にした給紙装置を示す図４と同様な概略構成図であり、図４と対応する部分には同一の符号を付してある。
この給紙装置は、図４で説明した給紙装置に対し、温度検出器１２の記録紙給紙方向（矢示Ｇ方向）の位置を記録紙給紙開始位置となるピックアップコロ６のある位置に略一致させるようにした点のみが異なる。
このようにすれば、温度検出器１２の記録紙給紙方向の位置が、ピックアップコロ６による記録紙給紙開始位置と略同一となる。それにより、底板５上に積載された束状の記録紙Ｐは、それが給紙される度に上昇側に回動していくことにより最上位に位置する記録紙Ｐの上面の角度は変化していくが、温度検出器１２の記録紙上面との接触位置は略一定の位置に保たれ続ける。したがって、温度検出器１２による温度検出精度が増し、記録紙枚数検知の精度が向上する。
なお、加熱器１１を図７の温度検出器１２のある位置に配置し、温度検出器１２を底板５側に配置した場合には、加熱器１１をピックアップコロ６の位置に略一致させるとよい。
【００２３】
図８はこの発明による給紙装置の一実施形態の要部を示す概略構成図であり、加熱器と温度検出器を記録紙の面に沿ってそれぞれ同方向に同量移動させる移動手段を設けた給紙装置を示す。
この給紙装置は、加熱器１１と温度検出器１２を記録紙の面に沿ってそれぞれ同方向（矢示Ｃ方向）に同量移動させる移動手段６０を設け、底板５′に積載された記録紙Ｐの温度を検知する毎（給紙動作毎でもよい）に移動手段６０を駆動させて加熱器１１と温度検出器１２を矢示Ｃ方向に、例えば加熱器１１の幅Ｗ以上の距離とする適正量を移動させるようにしている。
この給紙装置では、加熱器１１を下部支持部材６５の一端部に固定し、温度検出器１２を上部支持部材６６の一端部に固定している。そして、その下部支持部材６５は、上部支持部材６６のガイド部６６ａに係合していて、図８で上下方向に移動可能であり、スプリング６７により同図で上方に付勢されている。
また、底板５′には、加熱器１１の矢示Ｃ方向への移動を許容する長孔５ａを形成している。
【００２４】
このように、加熱器１１と温度検出器１２は、下部支持部材６５と上部支持部材６６に固定されていて、その下部支持部材６５はスプリング６７により上部支持部材６６側に付勢されているので、底板５′上に記録紙Ｐの束を積載して、それを上下方向から挾むように加熱器１１と温度検出器１２をセットすると、その加熱器１１は記録紙の下面に、温度検出器１２は記録紙の上面にそれぞれ接する。したがって、その加熱器１１と温度検出器１２は、底板５′上の記録紙Ｐの枚数に応じて最小の間隔となる。
ところで、底板５′上の記録紙Ｐの枚数を検知する際には加熱器１１により記録紙Ｐを加熱するため、このような枚数検知方法の場合には、次に再び枚数検知を行う場合には記録紙Ｐの温度がある程度下がるまで待つ必要がある。すなわち、実測した結果、加熱器１１による加熱を停止させてから数秒が経過すると記録紙の温度が元に戻ることを確認した。しかしながら、高速で連続して給紙が可能な給紙装置の場合には、このように記録紙の温度が元に戻る前に次の記録紙枚数検知を行う必要性が生じる。
【００２５】
そこで、この実施の形態による給紙装置では、上述したように底板５′に積載された記録紙Ｐの温度を温度検出器１２で検知する毎に移動手段６０を駆動させて、加熱器１１と温度検出器１２を矢示Ｃ方向に、加熱器１１によって加熱された部分の温度影響が及ばない範囲に適正量移動させるようにしている。
なお、移動手段６０により移動させた加熱器１１と温度検出器１２は、ある程度給紙動作を行って元の場所が元の温度に戻った時点で、元の場所に戻るように往復運動するようにしてもよい。
この給紙装置によれば、記録紙を加熱して枚数検知を行った際に上昇した記録紙の温度が低下するのを待つことなしに次の枚数検知を行うことができるので、高速の給紙動作にも対応できる。したがって、速度向上のために給紙間隔を詰めるようにしても、記録紙の正確な枚数検知を行うことができる。
以上、この発明による紙葉類枚数検知装置及び給紙装置と、その給紙装置を備えた画像形成装置の各実施形態について説明したが、そこにそれぞれ使用している記録紙枚数検知のための加熱器１１と温度検出器１２は、記録紙の面に対して鉛直方向に互いに対向配置するとよい。
このようにすれば、加熱器１１からの熱が最短で温度検出器１２まで移動するので、記録紙の枚数変化に対する温度検出器１２での検出温度の高低差が大きくなる。それにより、高精度な記録紙枚数検知ができる。
【００２６】
【発明の効果】
以上説明したように、この発明による給紙装置は、紙葉類の一方の側の面を加熱して、他方の側の面の温度を検出することで少数枚の紙葉類の枚数を検知することができるので、光を紙葉類に対して透過させて紙葉類の枚数を検知する場合のように紙葉類の透過光率の影響を受けない。
したがって、ＯＨＰ用紙のように透過光率の高い用紙であっても枚数を正確に測定することができ、透過光率の低い紙葉類であっても正確に枚数を検知することができる。
しかも、記録紙を加熱して枚数検知を行った際に上昇した記録紙の温度が低下するのを待つことなしに次の枚数検知を行うことができるので、高速の給紙動作にも対応できる。したがって、速度向上のために給紙間隔を詰めるようにしても、記録紙の正確な枚数検知を行うことができる。
また、その給紙装置を備えた画像形成装置によれば、一度に複数枚の画像を担持可能な大きな像担持体を持つ場合であっても、積載手段上の紙葉類の正確な枚数に合わせた画像形成ができるので、不用意に像担持体上に積載手段上の紙葉類の枚数よりも多い数の画像を形成してしまい、その際に紙葉類に転写できずに余分となった画像をクリーニング装置により消去しなければならないという非生産的な動作を未然に防ぐことができる。それにより、トナーの無駄使いを防止できると共に、クリーニング装置の負担を軽減することができる。
【図面の簡単な説明】
【図１】  この発明による給紙装置に用いる紙葉類枚数検知装置の基礎となる例を示す概略構成図である。
【図２】  Ｔ１＝１００℃、Ｔ０＝２５℃とした場合のある記録紙の枚数の違いによる温度変化を示した線図である。
【図３】  記録紙枚数と温度出力との関係を示した線図である。
【図４】  この発明による給紙装置の基礎となる例を示す概略構成図である。
【図５】  温度伝導の低い記録紙を使用した場合の記録紙枚数と温度出力との関係を示した線図である。
【図６】  この発明による給紙装置を備えたカラー画像形成装置の一例を示す全体構成図である。
【図７】  温度検出器の位置をピックアップコロの位置にした給紙装置を示す概略構成図である。
【図８】  この発明による給紙装置の一実施形態を示す概略構成図である。
【図９】  記録紙の残量枚数よりも多くの数の画像を中間転写ベルト上に担持した場合の問題点を説明するための概略図である。
【符号の説明】
４：給紙装置
５：底板（積載手段）
６：ピックアップコロ（給紙手段）
１１：加熱器（加熱手段）
１２：温度検出器（温度検出手段）
５０，５０′：制御装置
６０：移動手段
Ｐ：記録紙（紙葉類）
【図１】
0003935391.tif 000003
【図２】
0003935391.tif 000004
【図３】
0003935391.tif 000005
【図４】
0003935391.tif 000006
【図５】
0003935391.tif 000007
【図６】
0003935391.tif 000008
【図７】
0003935391.tif 000009
【図８】
0003935391.tif 000010
【図９】
0003935391.tif 000011